(57)【要約】動脈側ラインＬＡおよび静脈側ラインＬＶを含む血液回路１００と、両端に前記動脈側ラインＬＡおよび静脈側ラインＬＶが接続される血液浄化器１１０と、を取り付けて使用される血液浄化装置１０は、プライミング液を供給する供給部１２に接続され、前記静脈側ラインＬＶの先端に接続可能な供給ラインＬＳと、使用後のプライミング液を排出する排出部１４に接続され、前記動脈側ラインの先端に接続可能な排出ラインＬＤと、前記動脈側ラインＬＡの途中に設けられた血液ポンプＰＢと、を備え、前記供給ラインＬＳと前記静脈側ラインＬＶが接続され、かつ、前記排出ラインＬＤと前記動脈側ラインＬＡが接続された状態で、前記血液ポンプＰＢを駆動させることで、前記血液回路１００および血液浄化器１１０をプライミングする。
2018030353.tif 000002
【特許請求の範囲】
【請求項１】
動脈側ラインおよび静脈側ラインを含む血液回路と、両端に前記動脈側ラインおよび静脈側ラインが接続される血液浄化器と、を取り付けて使用される血液浄化装置であって、
プライミング液を供給する供給部に接続され、前記静脈側ラインの先端に接続可能な供給ラインと、
使用後のプライミング液を排出する排出部に接続され、前記動脈側ラインの先端に接続可能な排出ラインと、
前記動脈側ラインの途中に設けられた血液ポンプと、
を備え、
前記供給ラインと前記静脈側ラインが接続され、かつ、前記排出ラインと前記動脈側ラインが接続された状態で、前記血液ポンプを駆動させることで、前記血液回路および血液浄化器をプライミングする、
ことを特徴とする血液浄化装置。
【請求項２】
請求項１に記載の血液浄化装置であって、
前記血液回路および血液浄化器をプライミングするとき、前記血液ポンプは、血液浄化法の実行時と逆方向に液体を送り出すように逆駆動される、ことを特徴とする血液浄化装置。
【請求項３】
請求項１または２に記載の血液浄化装置であって、
前記血液浄化器は、ダイアライザであり、
前記供給部は、前記ダイアライザに透析液を供給する透析液供給装置であり、
前記供給ラインは、前記透析液供給装置と前記ダイアライザとを接続する導入ラインの途中で分岐したラインである、
ことを特徴とする血液浄化装置。
【請求項４】
請求項１から３のいずれか１項に記載の血液浄化装置であって、
前記血液浄化器は、ダイアライザであり、
前記排出部は、前記ダイアライザから透析液を排出する透析液排出装置であり、
前記排出ラインは、前記透析液供給装置と前記ダイアライザとを接続する導出ラインの途中に合流するラインである、
ことを特徴とする血液浄化装置。
【請求項５】
請求項３を引用する請求項４であって、さらに、
前記導入ラインの途中に設けられ、前記透析液供給装置から供給された液体を前記ダイアライザに送る導入ポンプと、
前記導出ラインの途中に設けられ、前記ダイアライザから排出された液体を前記透析液排出装置に送る導出ポンプと、
前記透析液供給装置から供給された前記液体の供給先を、前記供給ラインまたは前記ダイアライザに切り替える切り替え機構と、
を備え、
前記プライミングにおいて、前記液体の供給先を前記供給ラインに切り替えた状態で、前記血液ポンプを駆動する第一プライミング処理と、前記液体の供給先を前記血液浄化器に切り替えた状態で、前記導入ポンプおよび前記導出ポンプを駆動する第二プライミング処理と、を実行する、ことを特徴とする血液浄化装置。
【請求項６】
請求項５に記載の血液浄化装置であって、
前記第二プライミング処理において、前記導入ポンプおよび前記導出ポンプは、血液浄化法の実行時と同じ方向に液体を送り出すように正駆動される、ことを特徴とする血液浄化装置。
【請求項７】
請求項３から６のいずれか１項に記載の血液浄化装置であって、
前記プライミング液が、透析液である、ことを特徴とする血液浄化装置。
【請求項８】
請求項１に記載の血液浄化装置であって、
前記供給部は、前記プライミング液が充填されたプライミング液容器または前記血液浄化装置の外部に設けられたプライミング液の供給源に接続されたラインである、ことを特徴とする血液浄化装置。
【請求項９】
請求項１または８に記載の血液浄化装置であって、
前記排出部は、使用済みのプライミング液が充填される排液容器または前記血液浄化装置の外部に設けられたプライミング液の廃棄部に接続されたラインである、ことを特徴とする血液浄化装置。
【請求項１０】
請求項１から９のいずれか１項に記載の血液浄化装置であって、
前記血液回路は、さらに、前記静脈側ラインおよび前記動脈側ラインの少なくとも一方のライン途中に接続され、補充する液体を前記少なくとも一方のラインに導く補充液ラインを含み、
前記血液浄化装置は、さらに、前記少なくとも一方のラインの途中に設けられ、前記補充する液体を前記少なくとも一方のラインに送る補充液用ポンプを備え、
前記補充液用ポンプを駆動させることで、前記補充液ラインをプライミングする、
ことを特徴とする血液浄化装置。
【請求項１１】
動脈側ラインおよび静脈側ラインを含む血液回路と、両端に前記動脈側ラインおよび静脈側ラインが接続される血液浄化器と、から空気を排出するプライミング方法であって、
プライミング液を供給する供給部に接続されるとともに前記静脈側ラインの先端に接続可能な供給ラインを、前記静脈側ラインに接続するステップと、
使用後のプライミング液を排出する排出部に接続されるとともに前記動脈側ラインの先端に接続可能な排出ラインを、前記動脈側ラインに接続するステップと、
前記動脈側ラインの途中に設けられた血液ポンプを駆動させて、前記血液回路および血液浄化器にプライミング液を流すステップと、
を備えることを特徴とするプライミング方法。
【請求項１２】
動脈側ラインおよび静脈側ラインを含む血液回路と、両端に前記動脈側ラインおよび静脈側ラインが接続される血液浄化器と、を取り付けて使用される血液浄化装置であって、
前記動脈側ラインの途中に設けられた血液ポンプと、
少なくとも前記血液ポンプの駆動を制御する制御部と、
前記制御部は、プライミング液を供給する供給部と前記静脈側ラインが接続され、かつ、使用後のプライミング液が排出される排出部と前記動脈側ラインが接続された状態で、プライミング実行の指示を受け付けると、前記血液ポンプを駆動させて、前記血液回路および血液浄化器をプライミングする第一プライミング処理を実行する、
ことを特徴とする血液浄化装置。
【請求項１３】
請求項１２に記載の血液浄化装置であって、
前記制御部は、前記第一プライミング処理において、前記血液ポンプを、血液浄化法の実行時と逆方向に液体を送り出すように逆駆動させる、ことを特徴とする血液浄化装置。
【請求項１４】
請求項１２または１３に記載の血液浄化装置であって、さらに、
第二排出部と、
前記第二排出部と前記血液浄化器とを接続する導入ラインと、
前記第二排出部と前記血液浄化器とを接続する導出ラインと、
前記導入ラインの途中に設けられた導入ポンプと、
前記導出ラインの途中に設けられた導出ポンプと、
を有し、
前記制御部は、前記第一プライミング処理の後、前記導入ポンプおよび前記導出ポンプを駆動して、前記導入ラインおよび前記導出ラインにプライミング液を流す第二プライミング処理を実行する、
ことを特徴とする血液浄化装置。
【請求項１５】
請求項１４に記載の血液浄化装置であって、
前記制御部は、前記第二プライミング処理において、前記導入ポンプおよび前記導出ポンプを血液浄化法の実行時と同じ方向に液体を送り出すように正駆動させる、ことを特徴とする血液浄化装置。
【請求項１６】
請求項１４に記載の血液浄化装置であって、
前記制御部は、前記第二プライミング処理において、前記導出ポンプを血液浄化法の実行時と同じ方向に液体を送り出すように正駆動させ、前記導入ポンプを血液浄化法の実行時と逆方向に液体を送り出すように逆駆動させる、
ことを特徴とする血液浄化装置。
【発明の詳細な説明】
【技術分野】
【０００１】
本発明は、動脈側ラインおよび静脈側ラインを含む血液回路と、両端に前記動脈側ラインおよび静脈側ラインが接続される血液浄化器と、を取り付けて使用される血液浄化装置、および、血液回路および血液浄化器のプライミング方法に関する。
【背景技術】
【０００２】
従来から、患者から採取した血液を体外で浄化した後、再び、体内に戻す血液浄化法を行うための血液浄化装置が知られている。また、血液浄化装置には、血液や透析液等を送出するためのポンプや、液体の流れを規制するためのバルブ、透析液や補液等を供給あるいは排液するための供給部または排出部等が設けられている。ここで、血液浄化法では、血液が流れる血液回路および血液を浄化する血液浄化器が必要となる。なお、血液回路は、少なくとも、患者から採取した血液が流れる動脈側ラインと、血液浄化器で浄化した後の血液が流れる静脈側ラインと、を含む。これら血液回路および血液浄化器は、衛生上の観点から、使用の度に廃棄・交換するディスポーザブル部材となっている。したがって、作業者は、使用の度に、血液回路および血液浄化器を、血液浄化装置にセットする。【０００３】
ここで、通常、こうした血液浄化装置を用いて血液浄化を行う際には、予め、血液回路および血液浄化器にプライミング液を供給して、血液回路および血液浄化器の内部の空気を除去する「プライミング」と呼ばれる処理を行う。特許文献１〜３には、こうしたプライミング処理を比較的、容易に行える透析装置が開示されている。【０００４】
透析装置では、血液浄化器としてダイアライザを用いている。そして、この場合、血液浄化装置は、当該ダイアライザに透析液を導入する導入ラインおよび当該ダイアライザから透析液を導出する導出ラインを備えている。特許文献１，３に開示の透析装置は、プライミングを実行する際には、プライミング液として機能する透析液を、この導入ラインからダイアライザおよび血液回路に送りこむ。また、特許文献２に開示の透析装置は、導入ラインから分岐するとともに動脈側ラインの途中に接続する新たなラインを設けている。そして、プライミングを実行する際には、プライミング液として機能する透析液を、当該新たなラインを介して、血液回路に送りこんでいる。
【先行技術文献】
【特許文献】
【０００５】
【特許文献１】特開２００３−１８０８２３号公報
【特許文献２】特許第５３９９２１８号公報
【特許文献３】欧州特許第２１４２２３４号公報
【発明の概要】
【発明が解決しようとする課題】
【０００６】
しかしながら、特許文献１，２の技術は、使用の度に廃棄・交換される血液回路に、治療に不要な分岐ラインが含まれているという問題があった。すなわち、既述した通り、血液回路および血液浄化器は、使用の度に交換・廃棄されるディスポーザブル部材であり、使用の度に、血液浄化装置にセットされる。特許文献１，２の技術では、この血液回路（ディスポーザブル部材）に、プライミングにのみ使用され、治療に不要な分岐ラインが含まれている。このように、治療に不要な分岐ラインがあると作業者の誤解や混乱を招きやすく、血液回路のセット作業を難しくしていた。また、治療に不要な分岐ラインは、作業の妨げになりやすかった。【０００７】
特許文献３の技術では、血液回路に、プライミングにのみ使用され、治療に不要な分岐ラインを設けていない。したがって、特許文献３の技術によれば、作業者の誤解や混乱を低減でき、血液回路のセット作業を簡易化できる。しかしながら、特許文献１、３の技術では、ダイアライザ内の空気を十分に排除できないという問題があった。すなわち、特許文献１，３では、既述した通り、プライミング液として機能する透析液を、導入ライン、ダイアライザ、血液回路という順で送りこんでいる。この場合、透析液が、ダイアライザ内に設けた中空糸膜の外側から内側に流れる「逆濾過」の状態になる。透析液を逆濾過した場合、透析液は、中空糸膜のうち、流れやすい箇所にのみ集中して流れてしまう。その結果、中空糸膜に、透析液が全く流れない箇所が生じて、空気が残存するエアロックが生じやすくなる。【０００８】
つまり、従来、取り扱いが容易でありながら、血液浄化器および血液回路から空気を十分に排除でき得る血液浄化装置は無かった。そこで、本発明では、取り扱いが容易でありながら、空気を十分に排除でき得る血液浄化装置、および、プライミング方法を提供することを目的とする。
【課題を解決するための手段】
【０００９】
本発明の血液浄化装置は、動脈側ラインおよび静脈側ラインを含む血液回路と、両端に前記動脈側ラインおよび静脈側ラインが接続される血液浄化器と、を取り付けて使用される血液浄化装置であって、プライミング液を供給する供給部に接続され、前記静脈側ラインの先端に接続可能な供給ラインと、使用後のプライミング液を排出する排出部に接続され、前記動脈側ラインの先端に接続可能な排出ラインと、前記動脈側ラインの途中に設けられた血液ポンプと、を備え、前記供給ラインと前記静脈側ラインが接続され、かつ、前記排出ラインと前記動脈側ラインが接続された状態で、前記血液ポンプを駆動させることで、前記血液回路および血液浄化器をプライミングする、ことを特徴とする。【００１０】
好適な態様では、前記血液回路および血液浄化器をプライミングするとき、前記血液ポンプは、血液浄化法の実行時と逆方向に液体を送り出すように逆駆動される。【００１１】
他の好適な態様では、前記血液浄化器は、ダイアライザであり、前記供給部は、前記ダイアライザに透析液を供給する透析液供給装置であり、前記供給ラインは、前記透析液供給装置と前記ダイアライザとを接続する導入ラインの途中で分岐したラインである。【００１２】
他の好適な態様では、前記血液浄化器は、ダイアライザであり、前記排出部は、前記ダイアライザから透析液を排出する透析液排出装置であり、前記排出ラインは、前記透析液供給装置と前記ダイアライザとを接続する導出ラインの途中に合流するラインである。【００１３】
この場合、さらに、前記導入ラインの途中に設けられ、前記透析液供給装置から供給された液体を前記ダイアライザに送る導入ポンプと、前記導出ラインの途中に設けられ、前記ダイアライザから排出された液体を前記透析液排出装置に送る導出ポンプと、前記透析液供給装置から供給された前記液体の供給先を、前記供給ラインまたは前記ダイアライザに切り替える切り替え機構と、を備え、前記プライミングにおいて、前記液体の供給先を前記供給ラインに切り替えた状態で、前記血液ポンプを駆動する第一プライミング処理と、前記液体の供給先を前記血液浄化器に切り替えた状態で、前記導入ポンプおよび前記導出ポンプを駆動する第二プライミング処理と、を実行する、ことが望ましい。また、前記プライミング液が、透析液である、ことも望ましい。【００１４】
この場合、前記第二プライミング処理において、前記導入ポンプおよび前記導出ポンプは、血液浄化法の実行時と同じ方向に液体を送り出すように正駆動される、ことも望ましい。【００１５】
他の好適な態様では、前記供給部は、前記プライミング液が充填されたプライミング液容器または前記血液浄化装置の外部に設けられたプライミング液の供給源に接続されたラインである。【００１６】
他の好適な態様では、前記排出部は、使用済みのプライミング液が充填される排液容器または前記血液浄化装置の外部に設けられたプライミング液の廃棄部に接続されたラインである。【００１７】
他の好適な態様では、前記血液回路は、さらに、前記静脈側ラインおよび前記動脈側ラインの少なくとも一方のライン途中に接続され、補充する液体を前記少なくとも一方のラインに導く補充液ラインを含み、前記血液浄化装置は、さらに、前記少なくとも一方のラインの途中に設けられ、前記補充する液体を前記少なくとも一方のラインに送る補充液用ポンプを備え、前記補充液用ポンプを駆動させることで、前記補充液ラインをプライミングする。【００１８】
他の本発明であるプライミング方法は、動脈側ラインおよび静脈側ラインを含む血液回路と、両端に前記動脈側ラインおよび静脈側ラインが接続される血液浄化器と、から空気を排出するプライミング方法であって、プライミング液を供給する供給部に接続されるとともに前記静脈側ラインの先端に接続可能な供給ラインを、前記静脈側ラインに接続するステップと、使用後のプライミング液を排出する排出部に接続されるとともに前記動脈側ラインの先端に接続可能な排出ラインを、前記動脈側ラインに接続するステップと、前記動脈側ラインの途中に設けられた血液ポンプを駆動させて、前記血液回路および血液浄化器にプライミング液を流すステップと、を備えることを特徴とする。【００１９】
他の本発明である血液浄化装置は、動脈側ラインおよび静脈側ラインを含む血液回路と、両端に前記動脈側ラインおよび静脈側ラインが接続される血液浄化器と、を取り付けて使用される血液浄化装置であって、前記動脈側ラインの途中に設けられた血液ポンプと、少なくとも前記血液ポンプの駆動を制御する制御部と、前記制御部は、プライミング液を供給する供給部と前記静脈側ラインが接続され、かつ、使用後のプライミング液が排出される排出部と前記動脈側ラインが接続された状態で、プライミング実行の指示を受け付けると、前記血液ポンプを駆動させて、前記血液回路および血液浄化器をプライミングする第一プライミング処理を実行する、ことを特徴とする。【００２０】
好適な態様では、前記制御部は、前記第一プライミング処理において、前記血液ポンプを、血液浄化法の実行時と逆方向に液体を送り出すように逆駆動させる。【００２１】
他の好適な態様では、さらに、第二排出部と、前記第二排出部と前記血液浄化器とを接続する導入ラインと、前記第二排出部と前記血液浄化器とを接続する導出ラインと、前記導入ラインの途中に設けられた導入ポンプと、前記導出ラインの途中に設けられた導出ポンプと、を有し、前記制御部は、前記第一プライミング処理の後、前記導入ポンプおよび前記導出ポンプを駆動して、前記導入ラインおよび前記導出ラインにプライミング液を流す第二プライミング処理を実行する。【００２２】
この場合、前記制御部は、前記第二プライミング処理において、前記導入ポンプおよび前記導出ポンプを血液浄化法の実行時と同じ方向に液体を送り出すように正駆動させてもよい。【００２３】
また、この場合、前記制御部は、前記第二プライミング処理において、前記導出ポンプを血液浄化法の実行時と同じ方向に液体を送り出すように正駆動させ、前記導入ポンプを血液浄化法の実行時と逆方向に液体を送り出すように逆駆動させてもよい。
【発明の効果】
【００２４】
本発明によれば、供給ラインおよび排出ラインは、静脈側ラインおよび動脈側ラインの先端に接続されるため、血液回路側に治療に不要な分岐ラインを設ける必要がない。また、本発明によれば、プライミング液は、血液浄化器を軸方向に流れるため、逆濾過が生じず、より確実に空気を排除できる。したがって、本発明によれば、取り扱いが容易でありながら、空気を十分に排除できる。
【図面の簡単な説明】
【００２５】
【図１】本発明の第一実施形態である血液浄化装置の構成を示す図である。
【図２】第一実施形態の血液浄化装置において、プライミング処理を行う際の構成を示す図である。
【図３】本発明の第二実施形態である血液浄化装置の構成を示す図である。
【図４】本発明の第三実施形態である血液浄化装置の構成を示す図である。
【図５】本発明の第四実施形態である血液浄化装置の構成を示す図である。
【図６】本発明の第五実施形態である血液浄化装置の構成を示す図である。
【図７】本発明の第六実施形態である血液浄化装置の構成を示す図である。
【図８】洗浄用キャップの一例を示す図である。
【図９】本発明の第七実施形態である血液浄化装置の構成を示す図である。
【図１０】図９の血液浄化装置の変形例を示す図である。
【図１１】本発明の第八実施形態である血液浄化装置の構成を示す図である。
【図１２】図１０の血液浄化装置の変形例を構成を示す図である。
【図１３】本発明の第九実施形態である血液浄化装置の構成を示す図である。
【図１４】本発明の第十実施形態である血液浄化装置の構成を示す図である。
【発明を実施するための形態】
【００２６】
以下、本発明の実施形態について図面を参照して説明する。以下の説明において、ポンプの「正駆動」とは、血液浄化法を実行する際のポンプの駆動方向を指す。
【００２７】
図１は、本発明の基本的な実施形態である血液浄化装置１０の構成を示す図である。また、図２は、プライミング処理を行う際の血液浄化装置１０の構成を示す図である。なお、本願において、「プライミング」とは、血液浄化器（例えばダイアライザ等）および血液回路内の微小な塵、膜の保護剤、充填液および空気を洗浄除去し、治療が開始できる状態にすることを意味する。この血液浄化装置１０は、患者から採取した血液を体外において浄化した後、再び、体内に戻す血液浄化法を実行するための装置である。図１、図２では、基本的な構成要素のみを図示しているが、実行する血液浄化法の種類に応じて、血液浄化装置１０には、適宜、別の構成要素が追加されてもよい。血液浄化装置１０で実行する血液浄化法としては、例えば、血液透析や、血液濾過、血液透析濾過、直接血液灌流、単純血漿交換等が挙げられる。また、図１，図２に示す血液浄化装置１０に追加できる構成要素としては、例えば、透析液を供給および排出する透析液給排装置、透析液を送り出すためのポンプ、血液浄化により除去した成分を補うための補充液を供給するためのラインやポンプ等が挙げられる。
【００２８】
以下では、図１、図２に示した基本的な構成について説明する。この血液浄化装置１０は、患者から採取した血液を体外で循環させるもので、消耗ユニットをセットした状態で使用される。消耗ユニットは、血液浄化器１１０と、血液回路１００と、を含む。血液浄化器１１０は、患者から採取された血液を浄化する器具である。この血液浄化器１１０としては、例えば、血液透析や血液透析濾過に適したダイアライザ、血液透析濾過に適した血液透析濾過器（ヘモダイアフィルタ）血液濾過に適した血液濾過器（ヘモフィルタ）、直接血液灌流に適した血液浄化カラム、単純血漿交換に適した血漿分離器等を用いることができる。血液浄化器１１０は、略円筒形となっており、その内部には、血液を浄化するための浄化部材、例えば、中空糸膜や吸着剤等が収容されている。また、血液浄化器１１０の軸方向両端には、血液入口１１２および血液出口１１４が形成されている。患者から採取された血液は、血液入口１１２から血液浄化器１１０内に導入され、血液浄化器１１０の内部に設けられた浄化部材で浄化された後、血液出口１１４から患者に返血される。
【００２９】
血液回路１００は、血液および血液に供給される液体（例えば補充液や新鮮凍結血漿等）が流れる液体回路であって、使用の度に廃棄交換される。図１、図２の例では、血液回路１００は、患者から採取した血液が流れる動脈側ラインＬＡと、浄化済みの血液が流れる静脈側ラインＬＶと、血液内の気泡を排除するために血液を一時的に貯留するエアトラップチャンバ１０２と、を含んでいる。動脈側ラインＬＡおよび静脈側ラインＬＶは、いずれも、可撓性チューブで構成されている。動脈側ラインＬＡの一端は、血液浄化器１１０の血液入口１１２に接続され、静脈側ラインＬＶの一端は、血液浄化器１１０の血液出口１１４に接続される。また、動脈側ラインＬＡの先端（血液浄化器１１０の反対側端部）には、シャントコネクタである動脈側コネクタＣＡが設けられており、静脈側ラインＬＶの先端には、シャントコネクタである静脈側コネクタＣＶが設けられている。この二つのコネクタＣＡ，ＣＶは、穿刺針１３０が着脱自在に接続できるようになっている。そして、各穿刺針１３０を、患者に穿刺することで、血液の体外循環ルートが形成される。なお、本明細書では、血液を脱血（採血）する穿刺針の側を「動脈側」といい、血液を返血する穿刺針の側を「静脈側」という。したがって、「動脈側」及び「静脈側」とは、穿刺の対象となる血管が、動脈および静脈のいずれかによって定められるものではない。
【００３０】
エアトラップチャンバ１０２は、血液を一時的に貯留する容器である。このエアトラップチャンバ１０２に、血液を一時的に貯留することで、当該血液内に含まれる気泡がエアトラップチャンバ１０２より下流に流れることなく捕捉される。図１、図２の例では、エアトラップチャンバ１０２は、静脈側ラインＬＶの途中にのみ設けている。しかし、エアトラップチャンバ１０２は、静脈側ラインＬＶの途中に加えて、または、替えて、動脈側ラインＬＡの途中に設けられてもよい。また、エアトラップチャンバ１０２には、圧力を検知するための圧力センサが接続されてもよい。また、ここで説明した血液回路１００の構成は、一例であり、適宜、変更されてもよい。例えば、血液回路１００は、さらに、血液浄化で失った成分を補充する補充液や新鮮凍結血漿が流れる補充液ラインを含んでもよい。
【００３１】
次に血液浄化装置１０の構成について説明する。血液浄化装置１０は、血液を送り出すための血液ポンプＰＢを備えている。血液ポンプＰＢは、図１、図２に示すように、動脈側ラインＬＡの途中に設けられている。この血液ポンプＰＢが正駆動することで、血液が、下流側（血液浄化器１１０側）に送られる。また、後に詳説するように、血液ポンプＰＢは、プライミング処理時には、逆駆動して、プライミング液を流す役割も果たす。血液ポンプＰＢの構成は、特に限定されないが、本実施形態において、血液ポンプＰＢは、しごき型のチューブポンプである。血液ポンプＰＢは、可撓性チューブからなる動脈側ラインＬＡをしごくことで、血液やプライミング液等を送り出す。
【００３２】
また、血液浄化装置１０は、血液浄化の実行に先だって、血液浄化器１１０および血液回路１００の内部を液体で満たすプライミング処理も行う。このプライミング処理を行うために、血液浄化装置１０は、さらに、プライミング液を供給する供給部１２と、プライミング液を排出する排出部１４と、プライミング液が流れる供給ラインＬＳおよび排出ラインＬＤと、を備えている。ここで使用されるプライミング液は、後の治療に影響を与えないのであれば、特に限定されず、例えば、透析液でもよいし、生理食塩液でもよい。供給部１２は、プライミング液を供給できるのであれば、その構成は、限定されない。したがって、供給部１２は、血液透析のために、透析液を供給する透析液供給装置でもよいし、プライミング液を充填した容器（例えば、ボトルや、可撓性のバッグ等）でもよい。また、供給部１２は、装置の外部に設けられたプライミング液の供給源に連通したラインでもよい。
【００３３】
排出部１４は、使用済みのプライミング液を排出できるのであれば、その構成は、限定されない。したがって、排出部１４は、血液透析のために、使用済みの透析液を排出する透析液排出装置でもよいし、使用済みのプライミング液を貯留できる容器（例えば、ボトルや、可撓性のバッグなど）でもよい。また、排出部１４は、装置の外部に設けられたプライミング液の廃棄箇所に連通したラインでもよい。
【００３４】
供給部１２には、供給ラインＬＳが、排出部１４には、排出ラインＬＤが接続されている。供給ラインＬＳの先端（供給部１２とは反対側端部）には、静脈側コネクタＣＶに接続可能な供給コネクタＣＳが取り付けられており、供給ラインＬＳは、静脈側ラインＬＶの先端に接続可能となっている。また、排出ラインＬＤの先端（排出部１４とは反対側端部）には、動脈側コネクタＣＡに接続可能な排出コネクタＣＤが取り付けられており、排出ラインＬＤは、動脈側ラインＬＡの先端に接続可能となっている。プライミング処理を実行する際、作業者は、図２に示すような状態、すなわち、穿刺針１３０を接続していない静脈側コネクタＣＶを供給コネクタＣＳに、穿刺針１３０を接続していない動脈側コネクタＣＡを排出コネクタＣＤに、それぞれ、接続した状態にする。また、血液浄化法を実行する際、作業者は、図１に示す状態、すなわち、静脈側コネクタＣＶと供給コネクタＣＳとの接続、および、動脈側コネクタＣＡと排出コネクタＣＤとの接続を解除した後、静脈側コネクタＣＶおよび動脈側コネクタＣＡに穿刺針１３０を接続した状態にする。なお、静脈側コネクタＣＶと供給コネクタＣＳ、および、動脈側コネクタＣＡと排出コネクタＣＤは、直接接続されず、アダプタ等の他部材を介して接続されてもよい。
【００３５】
また、血液浄化装置１０には、各種ポンプやバルブ、血液浄化装置１０に搭載されている電子機器の駆動を制御する制御部１６（図２〜図７では図示を省略）が設けられている。制御部１６は、作業者からの指示に応じて、各種電子機器の駆動を制御する。制御部１６は、例えば、各種演算を行うＣＰＵと、各種情報を記憶するメモリと、を備えている。また、制御部１６は、単一の装置でもよいし、互いに通信可能な複数の装置で構成されてもよい。血液浄化装置１０は、さらに、作業者からの指示を受け付けるキーボード等の入力デバイスと、作業者に各種情報を出力するためのディスプレイやスピーカー等の出力デバイスと、を備えている。入力デバイスおよび出力デバイスは、バス等を介して制御部１６に接続されている。制御部１６は、入力デバイスを介して入力された各種指示に応じて、各種処理を実行し、必要に応じて、表示デバイスを介して、作業者に各種情報を提供する。
【００３６】
次に、こうした血液浄化装置１０における、プライミング処理の流れについて説明する。プライミング処理を実行する際、作業者は、図２に示すように、静脈側コネクタＣＶを供給コネクタＣＳに、動脈側コネクタＣＡを排出コネクタＣＤに、それぞれ接続する。換言すれば、作業者は、静脈側ラインＬＶと供給部１２が接続され、動脈側ラインＬＡと排出部１４が接続された状態にする。なお、こうした接続の実行をユーザに促すために、制御部１６は、静脈側コネクタＣＶおよび動脈側コネクタＣＶの接続先を示す情報をディスプレイに表示してもよい。こうした接続先の情報の表示は、例えば、ユーザからプライミングの指示を受けたタイミングで行ってもよい。また、血液回路１００および血液浄化器１１０を交換した際には、プライミング処理が必要になるため、制御部１６は、血液回路１００および血液浄化器１１０を交換の有無を監視しておき、血液回路１００および血液浄化器１１０の交換が検知された場合には、接続先を示す情報をディスプレイ等に表示してもよい。いずれにしても、作業者により、各コネクタが適切に接続された状態で、制御部１６は、プライミング実行の指示を作業者から受けつけると、血液ポンプＰＢを逆駆動する。血液ポンプＰＢが逆駆動することで、供給部１２から供給されるプライミング液は、供給ラインＬＳ、静脈側ラインＬＶ、血液浄化器１１０、動脈側ラインＬＡ、排出ラインＬＤの順に流れていく。そして、最終的に、排出ラインＬＤに流れたプライミング液は、排出部１４に到達し、排出される。なお、図２の太線矢印は、プライミング処理におけるプライミング液の流れを示している。
【００３７】
このように、血液ポンプＰＢを逆駆動することで、プライミング液が、血液浄化器１１０および血液回路１００の内部に流れ、血液浄化器１１０および血液回路１００内の空気が排除される。ところで、本実施形態によれば、プライミング液は、血液浄化器１１０の軸方向に沿って流れる。換言すれば、本実施形態では、プライミング液が、血液浄化器１１０に内蔵された浄化部材の外側から内側に向かって流れる「逆濾過」が生じない。逆濾過することなく、プライミング液を流すことにより、血液浄化器１１０等の内部に空気が滞留するエアロックを効果的に防止できる。
【００３８】
すなわち、従来のプライミング方法の中には、プライミング液を、血液浄化器１１０の浄化部材の外側から内側に流す逆濾過を行うものが多かった。逆濾過を行った場合、浄化部材のうち液体が流れやすい箇所にプライミング液が集中して流れてしまい、流体が流れにくい箇所には、空気が残留するエアロックが生じやすかった。逆濾過方式において、かかるエアロックを防止するためには、多量のプライミング液を流す必要があり、コスト的にも時間的にも無駄が多かった。
【００３９】
一方、本実施形態では、プライミング液を浄化部材の軸方向に沿って流すため、プライミング液が、浄化部材全体に満遍なく広がりやすい。その結果、比較的少量のプライミング液でも、エアロックを無くすことができ、プライミング処理に要するコストや時間を低減できる。
【００４０】
また、本実施形態では、動脈側ラインＬＡおよび静脈側ラインＬＶの先端を、供給ラインＬＳおよび排出ラインＬＤに接続するだけでプライミング処理が可能となる。換言すれば、本実施形態によれば、血液回路１００側に、プライミング処理専用で治療に不要な分岐ラインやコネクタを設ける必要がない。これにより、作業者の作業負担を軽減できる。
【００４１】
すなわち、従来のプライミング方法では、血液回路１００に、プライミング専用で治療に不要な分岐ラインを設け、当該治療に不要な分岐ラインを、血液浄化装置１０に設けられたラインに接続することが多かった。血液回路１００は、使用の度に廃棄交換されるディスポーザブル部材であるため、作業者は、使用の度に、当該血液回路１００を血液浄化装置１０にセットする必要がある。かかる血液回路１００に、治療に不要な分岐ラインが存在すると、作業者の混乱を招きやすく、また、血液回路１００のセット作業が煩雑化して、作業者の負担となる。また、かかる治療に不要な分岐ラインは、血液浄化法を実行している際には、治療（血液浄化法）の妨げになりやすかった。
【００４２】
一方、本実施形態では、既述した通り、血液回路１００にプライミング専用で、治療に不要な分岐ラインを設ける必要がない。そのため、作業者の混乱を防止でき、血液回路１００の誤接続等を効果的に防止できる。また、血液回路１００の構成を簡素化できるため、血液回路１００のセットの手間を大幅に軽減できる。さらに、血液回路１００に、血液浄化法に利用しないラインが存在しないため、治療の邪魔になることがない。
【００４３】
次に、より具体的な実施形態について図３〜図７を参照して説明していく。図３は、第二実施形態の血液浄化装置１０の構成を示す図である。この血液浄化装置１０は、血液透析を実行する際に、特に適した構成を有している。この場合、血液浄化器１１０としては、その内部に中空糸膜が設けられたダイアライザ１１０ａが用いられる。ダイアライザ１１０ａの軸方向両端には、血液入口１１２および血液出口１１４が設けられている。また、ダイアライザ１１０ａの周面には、透析液が供給される導入口１１８と、透析液が排出される導出口１１９と、が設けられている。
【００４４】
血液浄化装置１０には、透析液を、供給および排出する透析液給排装置２０が設けられている。透析治療中は、この透析液給排装置２０からダイアライザ１１０ａに対して、透析液が連続的に供給される。また、ダイアライザ１１０ａを通過した透析液は、透析液給排装置２０に戻され、廃棄される。本実施形態では、プライミング液として透析液を使用するため、この透析液給排装置２０は、プライミング液の供給部および排出部としても機能する。
【００４５】
透析液給排装置２０には、当該透析液給排装置２０から供給された透析液が流れる導入ラインＬＩと、ダイアライザ１１０ａから排出された透析液が流れる導出ラインＬＯと、が接続されている。導入ラインＬＩは、透析液給排装置２０と導入口１１８とを接続し、導出ラインＬＯは、透析液給排装置２０と導出口１１９とを接続する。また、導入ラインＬＩの途中には、透析液をダイアライザ１１０ａに送り出す導入ポンプＰＩが、導出ラインＬＯの途中には、ダイアライザ１１０ａからの透析液を透析液給排装置２０に送り出す導出ポンプＰＯが、設けられている。導入ポンプＰＩおよび導出ポンプＰＯは、それぞれ透析液を送り出せるのであれば、その構成は、限定されない。したがって、導入ポンプＰＩおよび導出ポンプＰＯは、互いに独立して駆動できるポンプ、例えば、チューブポンプ等でもよいし、互いに連動して駆動する複式ポンプでもよい。
【００４６】
導出ラインＬＯは、途中で、分岐して排出ラインＬＤを構成する。排出ラインＬＤは、第一実施形態において説明した通り、透析液給排装置２０（排出部）に接続され、動脈側ラインＬＡの先端に接続可能なラインである。この排出ラインＬＤの先端には、動脈側コネクタＣＡに接続可能な排出コネクタＣＤが設けられている。
【００４７】
導入ラインＬＩは、途中で、分岐して供給ラインＬＳを構成する。供給ラインＬＳは、第一実施形態において説明した通り、透析液給排装置２０（供給部）に接続され、静脈側ラインＬＶの先端に接続可能なラインである。この供給ラインＬＳの先端には、静脈側コネクタＣＶに接続可能な供給コネクタＣＳが設けられている。
【００４８】
導入ラインＬＩのうち、分岐点Ｐよりもダイアライザ１１０ａ側には、透析液の通過を制御する導入バルブＶＩが設けられている。また、供給ラインＬＳのうち、分岐点Ｐよりも血液回路１００側には、透析液の通過を許容・禁止する供給バルブＶＳが設けられている。この導入バルブＶＩおよび供給バルブＶＳは、透析液給排装置２０から供給された透析液の供給先を、ダイアライザ１１０ａまたは供給ラインＬＳのいずれかに切り替える切り替え機構として機能する。導入バルブＶＩを開状態かつ供給バルブＶＳを閉状態とした場合、透析液給排装置２０から供給された透析液は、ダイアライザ１１０ａに供給される。一方、導入バルブＶＩを閉状態かつ供給バルブＶＳを開状態とした場合、透析液給排装置２０から供給された透析液は、供給ラインＬＳに供給される。なお、透析液の供給先を切り替えることができるのであれば、導入バルブＶＩおよび供給バルブＶＳは、省略、または、変更されてもよい。例えば、導入バルブＶＩおよび供給バルブＶＳに替えて、分岐点Ｐに三方弁を設けてもよい。また、しごき型のチューブポンプは、駆動停止している場合には、チューブを閉鎖できるため、導入ポンプＰＩとしてしごき型のチューブポンプを採用し、当該導入ポンプＰＩを導入バルブとして機能させてもよい。さらに、血液浄化装置１０は、これらポンプＰＢ，ＰＯ，ＰＩやバルブＶＩ，ＶＳの駆動を制御する制御部（図示せず）も有している。
【００４９】
以上の構成の血液浄化装置１０において、血液浄化器１１０および血液回路１００をプライミングする際の流れについて説明する。本実施形態において、プライミングを実行する際には、予め、図３に示すように、供給ラインＬＳを、静脈側ラインＬＶの先端に、排出ラインＬＤを、動脈側ラインＬＡの先端に、それぞれ接続しておく。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けると、プライミング処理として、矢印Ａに沿った流れで透析液（プライミング液）を流す第一プライミング処理と、矢印Ｂに沿った流れで透析液を流す第二プライミング処理と、を順番に実行する。
【００５０】
第一プライミング処理を実行する際には、制御部は、導入バルブＶＩを閉鎖し、供給バルブＶＳを開放して、透析液給排装置２０から供給された透析液の供給先を供給ラインＬＳに切り替える。その状態で、制御部は、血液ポンプＰＢを逆駆動させる。この血液ポンプＰＢの逆駆動に伴い、透析液給排装置２０から供給された透析液が、供給ラインＬＳ、静脈側ラインＬＶ、ダイアライザ１１０ａ、動脈側ラインＬＡ、排出ラインＬＤの順に流れていく。そして、最終的に、排出ラインＬＤを通過した透析液は、透析液給排装置２０に戻され、廃棄される。
【００５１】
以上の説明から明らかな通り、第一プライミング処理では、第一実施形態と同様に、透析液（プライミング液）が、ダイアライザ１１０ａの軸方向に沿って流れており、透析液を逆濾過させていない。そのため、第一実施形態と同様に、ダイアライザ１１０ａの一部分にのみ透析液が流れることを防止でき、エアロックを効果的に防止できる。
【００５２】
一定時間、第一プライミング処理を行えば、続いて、制御部は、第二プライミング処理を実行する。第二プライミング処理を実行する際には、制御部は、導入バルブＶＩを開放し、供給バルブＶＳを閉鎖して、透析液給排装置２０から供給された透析液の供給先をダイアライザ１１０ａに切り替える。その状態で、制御部は、導入ポンプＰＩおよび導出ポンプＰＯを正駆動させる。導入ポンプＰＩおよび導出ポンプＰＯを正駆動することで、透析液給排装置２０から供給された透析液が、導入ラインＬＩ、ダイアライザ１１０ａ、導出ラインＬＯの順に流れていく。なお、ダイアライザ１１０ａに流入した透析液の一部は、血液入口１１２および血液出口１１４を介して、動脈側ラインＬＡおよび静脈側ラインＬＶにも流れる。しかし、動脈側ラインＬＡは、駆動停止している血液ポンプＰＢにより、静脈側ラインＬＶに接続された供給ラインＬＳは、供給バルブＶＳにより、それぞれ閉鎖されている。そのため、ダイアライザ１１０ａに流入した透析液の大部分は、導出口１１９から導出ラインＬＯに流れた後、透析液給排装置２０に戻って廃棄される。
【００５３】
この第二プライミング処理を行うことにより、ダイアライザ１１０ａの筐体と中空糸膜との間隙にも透析液を流すことができ、ダイアライザ１１０ａ内の空気をより確実に排除できる。すなわち、通常、ダイアライザ１１０ａは、円筒形の筐体の内部に中空糸膜を配して構成されるが、この筐体の内周面と中空糸膜の外周面との間には微小な間隙が存在する。第一プライミング処理により、ダイアライザ１１０ａの軸方向に沿って透析液を流した場合、透析液が中空糸膜の外部に流出しにくいため、前記間隙に空気が残存することがある。一方、本実施形態のように、ダイアライザ１１０ａの周面（導入口１１８）から透析液を供給することで、前記間隙にも透析液が流れやすくなり、残存空気をより確実に排除できる。
【００５４】
以上の説明から明らかな通り、本実施形態でも、第一実施形態と同様に、プライミング時に、透析液（プライミング液）を逆濾過させないため、ダイアライザ１１０ａ内の残存空気をより確実に低減できる。さらに、本実施形態では、ダイアライザ１１０ａの周面から透析液（プライミング液）を流す第二プライミング処理も行っているため、中空糸膜の周囲にも透析液を確実に流すことができ、ダイアライザ１１０ａの残存空気をより低減できる。
【００５５】
また、図３から明らかな通り、本実施形態でも、血液回路１００は、プライミング専用で治療に不要な分岐ラインを有していない。そのため、血液回路１００を簡素化でき、血液回路１００の血液浄化装置１０にセットする際の手間を低減できる。
【００５６】
次に、第三実施形態について説明する。図４は、第三実施形態の血液浄化装置１０の構成を示す図である。この血液浄化装置１０は、血液透析濾過を実行する際に、特に適した構成を有している。この場合、血液浄化器１１０としては、その内部に中空糸膜が設けられた血液透析濾過器（ヘモダイアフィルタ）１１０ｂが使用される。血液透析濾過では、血液透析濾過器（ヘモダイアフィルタ）１１０ｂで血液を浄化するとともに、血液に補充液を補充して、血液浄化で不足した成分を補う。そのため、血液回路１００には、当該補充液が流れる補充液ラインＬＣが設けられている。補充液ラインＬＣは、動脈側ラインＬＡおよび静脈側ラインＬＶのいずれか一方に接続される補充液ラインである。図４では、補充液ラインＬＣをエアトラップチャンバ１０２を介して静脈側ラインＬＶに接続した構成を示している。補充液ラインＬＣの他端には、補充液またはプライミング液が充填された液体容器２２が接続される。液体容器２２は、液体を貯留できるのであれば、特に限定されず、例えば、ボトルや、可撓性のバッグなどを用いることができる。ただし、一般に、補充液は、可撓性のバッグに充填されて取り扱われることが多いため、この液体容器は、一般には、可撓性のバッグとなる。
【００５７】
血液浄化装置１０には、この補充液を送り出すための補充液用ポンプＰＣと、補充液ラインＬＣを開放・閉鎖するための補充液用バルブＶＣが設けられている。本実施形態の血液浄化装置１０は、この補充液用ポンプＰＣと補充液用バルブＶＣを備える以外の点は、第二実施形態の血液浄化装置１０（図３参照）とほぼ同じ構成である。なお、補充液用ポンプＰＣが、停止することで補充液ラインＬＣを閉鎖するバルブとして機能するのであれば、補充液用バルブＶＣは、省略されてもよい。さらに、血液浄化装置１０は、ポンプＰＢ，ＰＯ，ＰＩ，ＰＣやバルブＶＩ，ＶＳ，ＶＣの駆動を制御する制御部（図示せず）も有している。
【００５８】
次に、本実施形態の血液浄化装置１０でプライミングを行う際の流れについて説明する。プライミング処理を実行する場合は、予め、供給ラインＬＳを静脈側ラインＬＶの先端に、排出ラインＬＤを動脈側ラインＬＡの先端に、それぞれ接続しておく。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けるとプライミング処理として、矢印Ｃに沿った流れで透析液を流す第三プライミング処理を最初に行い、その後、矢印Ａに沿った流れで透析液（プライミング液）を流す第一プライミング処理と、矢印Ｂに沿った流れで透析液を流す第二プライミング処理と、を順番に実行する。
【００５９】
第三プライミング処理では、制御部は、供給バルブＶＳおよび導入バルブＶＩを閉鎖、補充液用バルブＶＣを開放するとともに、補充液用ポンプＰＣを正駆動、血液ポンプＰＢを逆駆動させる。また、このとき、液体容器２２には、プライミング液として機能する補充液または生理食塩液を充填しておく。補充液用バルブＶＣが正駆動することで、液体容器２２に充填されたプライミング液（補充液または生理食塩液）は、補充液ラインＬＣ、静脈側ラインＬＶ、血液透析濾過器１１０ｂ、動脈側ラインＬＡ、排出ラインＬＤの順に流れ、最終的に透析液給排装置２０において廃棄される。そして、これにより、補充液ラインＬＣがプライミング液で満たされ、当該補充液ラインＬＣに残存する空気が排除される。第三プライミング処理後に行われる第一、第二プライミング処理は、第二実施形態の場合と同じである。すなわち、第一プライミング処理では、制御部は、導入バルブＶＩを閉鎖、供給バルブＶＳを開放した状態で血液ポンプＰＢを逆駆動させる。また、第二プライミング処理では、制御部は、供給バルブＶＳを閉鎖、導入バルブＶＩを開放した状態で導入ポンプＰＩおよび導出ポンプＰＯを正駆動させる。この第一、第二プライミング処理の際には、透析液（プライミング液）が、液体容器２２側に逆流することを防止するために、補充液用バルブＶＣは、閉鎖しておく。
【００６０】
以上の説明で明らかな通り、本実施形態でも、第二実施形態と同様に、プライミング時に、透析液（プライミング液）を逆濾過させないため、血液透析濾過器１１０ｂ内の残存空気をより確実に低減できる。また、血液透析濾過器１１０ｂの周面から透析液（プライミング液）を流す第二プライミング処理も行っているため、中空糸膜の周囲にも透析液を確実に流すことができ、血液透析濾過器１１０ｂの残存空気をより低減できる。また、本実施形態では、補充液ラインＬＣにプライミング液を流す第三プライミング処理も行っているため、補充液ラインＬＣの空気も排除できる。
【００６１】
また、図４から明らかな通り、本実施形態でも、血液回路１００は、プライミング専用で治療に不要な分岐ラインを有していない。そのため、血液回路１００を簡素化でき、血液回路１００の血液浄化装置１０にセットする際の手間を低減できる。
【００６２】
次に、第四実施形態について図５を参照して説明する。図５は、第三実施形態の血液浄化装置１０の構成を示す図である。この血液浄化装置１０は、血液濾過を実行する際に、特に適した構成を有している。この場合、血液浄化器１１０としては、その内部に中空糸膜が設けられた血液濾過器１１０ｃ（ヘモフィルタ）が使用される。
【００６３】
血液濾過では、血液濾過器１１０ｃ（ヘモフィルタ）で血液を濾過するとともに、血液に補充液を補充して、血液濾過で不足した成分を補う。その一方で、血液濾過では、透析液の給排を行わず、血液濾過器１１０ｃ（ヘモフィルタ）で排出された濾液の排出のみを行う。
【００６４】
そのため、本実施形態の血液浄化装置１０は、濾液を処理するプライミング液排出部２４と、当該プライミング液排出部２４と血液濾過器１１０ｃとを接続する導出ラインＬＯと、を備えている。また、血液浄化装置１０には、プライミング液を貯留したプライミング液供給部２６も設けられている。このプライミング液供給部２６は、例えば、ボトルや、可撓性のバッグであり、プライミング液の供給部として機能する。なお、プライミング液供給部２６に替えて、装置の外部に設けられたプライミング液の供給源に繋がるラインを、プライミング液の供給部として使用してもよい。このプライミング液供給部２６には、静脈の先端に接続可能な供給ラインＬＳが接続されている。また、導出ラインＬＯの途中には、動脈の先端に接続可能な排出ラインＬＤが合流している。さらに、血液浄化装置１０は、ポンプＰＢ，ＰＯ，ＰＣやバルブＶＳ，ＶＣの駆動を制御する制御部（図示せず）も有している。
【００６５】
次に、本実施形態の血液浄化装置１０でプライミングを行う際の流れについて説明する。プライミング処理を実行する場合は、第一〜第三実施形態と同様に、予め、供給ラインＬＳを静脈側ラインＬＶの先端に、排出ラインＬＤを動脈側ラインＬＡの先端に、それぞれ接続しておく。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けると、プライミング処理として、矢印Ｃに沿った流れで透析液を流す第三プライミング処理を行った後、矢印Ａに沿った流れで透析液（プライミング液）を流す第一プライミング処理と、矢印Ｂに沿った流れで透析液（プライミング液）を流す第二プライミング処理と、を実行する。すなわち、まず、第三プライミング処理として、制御部は、供給バルブＶＳを閉鎖、補充液用バルブＶＣを開放した状態で、補充液用ポンプＰＣを正駆動、血液ポンプＰＢを逆駆動する。このとき、補充液ラインＬＣに接続された液体容器２２には、プライミング液として、補充液または生理食塩液を充填しておく。その後、第一プライミング処理として、制御部は、供給バルブＶＳを開放、補充液用バルブＶＣを閉鎖した状態で、血液ポンプＰＢを逆駆動する。第一プライミング処理が終了すれば、続いて、制御部は、第二プライミング処理を実行する。すなわち、制御部は、供給バルブＶＳを開放、補充液用バルブＶＣを閉鎖した状態を維持したまま、血液ポンプＰＢを停止する一方で、導出ポンプＰＯを正駆動する。
【００６６】
このように第一プライミング処理、第二プライミング処理、および第三プライミング処理を行うことで、静脈側ラインＬＶ、動脈側ラインＬＡ、導出ラインＬＯ、補充液ラインＬＣ、および、血液濾過器１１０ｃにプライミング液が流れ、残存空気が排除される。特に、本実施形態では、第一〜第三実施形態と同様に、逆濾過を行っていないため、血液濾過器１１０ｃのエアロックを効果的に防止できる。また、本実施形態でも、第一〜第三実施形態と同様に、血液回路１００は、プライミング専用で治療に不要な分岐ラインを有していない。そのため、血液回路１００を簡素化でき、血液回路１００の血液浄化装置１０にセットする際の手間を低減できる。
【００６７】
次に、第五実施形態について図面を参照して説明する。図６は、第五実施形態の血液浄化装置１０の構成を示す図である。この血液浄化装置１０は、単純血漿交換を実行する際に、特に適した構成を有している。この場合、血液浄化器１１０としては、その内部に中空糸膜が設けられた血漿分離器１１０ｄが使用される。
【００６８】
単純血漿分離では、血漿分離器１１０ｄで血液から血漿成分を除去するとともに、血液に補充液（新鮮凍結血漿等）を補充して、除去した成分を補う。また、血漿分離器１１０ｄで分離された血漿成分は、回収され、廃棄される。そのため、本実施形態の血液浄化装置１０は、血漿成分を処理するプライミング液排出部２８と、当該プライミング液排出部２８と血漿分離器１１０ｄとを接続する導出ラインＬＯと、を備えている。このプライミング液排出部２８は、使用済みのプライミング液を排出する排出部としても機能する。また、血液浄化装置１０には、プライミング液を貯留したプライミング液供給部２６も設けられている。このプライミング液供給部２６は、例えば、ボトルや、可撓性のバッグであり、プライミング液の供給部として機能する。なお、プライミング液供給部２６に替えて、装置の外部に設けられたプライミング液の供給源に繋がるラインを、供給部として使用してもよい。このプライミング液供給部２６には、静脈の先端に接続可能な供給ラインＬＳが接続されている。また、導出ラインＬＯの途中には、動脈の先端に接続可能な排出ラインＬＤが合流している。さらに、血液浄化装置１０は、ポンプＰＢ，ＰＯ，ＰＣやバルブＶＳ，ＶＣの駆動を制御する制御部（図示せず）も有している。
【００６９】
以上の構成の血液浄化装置１０におけるプライミング処理の流れは、第四実施形態のそれと、ほぼ同じである。すなわち、プライミング処理を実行する場合は、予め、供給ラインＬＳを静脈側ラインＬＶの先端に、排出ラインＬＤを動脈側ラインＬＡの先端に、それぞれ接続しておく。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けると、プライミング処理として、矢印Ｃに沿った流れでプライミング液を流す第三プライミング処理を行った後、矢印Ａに沿った流れでプライミング液を流す第一プライミング処理と、矢印Ｂに沿った流れでプライミング液を流す第二プライミング処理と、を実行する。すなわち、まず、第三プライミング処理として、制御部は、供給バルブＶＳを閉鎖、補充液用バルブＶＣを開放した状態で、補充液用ポンプＰＣを正駆動、血液ポンプＰＢを逆駆動する。このとき、補充液ラインＬＣに接続された液体容器２２には、プライミング液として生理食塩液を充填しておく。第一プライミング処理として、制御部は、供給バルブＶＳを開放、補充液用バルブＶＣを閉鎖した状態で、血液ポンプＰＢを逆駆動する。第一プライミング処理が終了すれば、続いて、制御部は、第二プライミング処理を実行する。すなわち、制御部は、供給バルブＶＳを開放、補充液用バルブＶＣを閉鎖した状態を維持したまま、血液ポンプＰＢを停止する一方で、導出ポンプＰＯを正駆動する。
【００７０】
以上の説明から明らかな通り、この本実施形態でも、第一〜第四実施形態と同様に、逆濾過を行っていないため、血液浄化器１１０のエアロックを効果的に防止できる。また、本実施形態でも、第一〜第四実施形態と同様に、血液回路１００は、プライミング専用で治療に不要な分岐ラインを有していない。そのため、血液回路１００を簡素化でき、血液回路１００の血液浄化装置１０にセットする際の手間を低減できる。
【００７１】
次に、第六実施形態について図面を参照して説明する。図７は、第六実施形態の血液浄化装置１０の構成を示す図である。この血液浄化装置１０は、直接血液灌流を実行する際に、特に適した構成を有している。この場合、血液浄化器１１０としては、その内部に吸着剤を設けた血液浄化カラム１１０ｅが使用される。
【００７２】
直接血液灌流では、血液中の病因関連物質を吸着材に吸着させ、除去する。この場合、血液浄化装置１０は、プライミング液の供給部１２と、プライミング液の排出部１４と、を備えている。供給部１２および排出部１４は、いずれも、液体を貯留できる容器、または、装置外に設けられたプライミング液の供給源またはプライミング液の廃棄部に接続されたラインである。液体を貯留できる容器としては、例えば、ボトルや、タンク等の一定の形状を保つ容器の他、可撓性フィルムからなる液体バッグなどでもよい。
【００７３】
この場合、供給ラインＬＳは、供給部１２に、排出ラインＬＤは、排出部１４にそれぞれ接続されている。そして、プライミング処理を行う際には、第一実施形態と同様に、供給ラインＬＳを静脈側ラインＬＶの先端に、排出ラインＬＤを動脈側ラインＬＡの先端に接続する。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けると、供給バルブＶＳを開放、補充液用バルブＶＣを閉鎖した状態で、血液ポンプＰＢを逆駆動する。これにより、プライミング液が血液浄化カラム１１０ｅの軸方向に流れ、血液浄化カラム１１０ｅおよび血液回路１００の内部から空気が排除される。
【００７４】
以上の説明で明らかな通り、本実施形態でも、第一実施形態と同様に、逆濾過を行っていないため、血液浄化カラム１１０ｅのエアロックを効果的に防止できる。また、本実施形態でも、第一〜第五実施形態と同様に、血液回路１００は、プライミング専用で治療に不要な分岐ラインを有していない。そのため、血液回路１００を簡素化でき、血液回路１００の血液浄化装置１０にセットする際の手間を低減できる。
【００７５】
なお、これまで説明した構成は、一例であり、プライミング液を供給する供給部１２に接続されるとともに静脈側ラインＬＶの先端に接続可能な供給ラインＬＳと、使用後のプライミング液を排出する排出部１４に接続されるとともに前記動脈側ラインＬＡの先端に接続可能な排出ラインＬＤと、を備えるのであれば、その他の構成は、適宜、変更されてもよい。また、これまで説明した血液浄化装置１０は、例えば、透析治療法や、持続的腎代替治療法、アフェレーシスに適用できる。透析治療法および持続的腎代替治療法には、図３〜図５に示した構成が適している。アフェレーシスには、図６、図７に示した構成が適している。
【００７６】
なお、血液浄化装置１０に供給ラインＬＳおよび排出ラインＬＤを設けた場合、これら二つのラインＬＤ，ＬＳは、定期的に洗浄されることが望ましい。この洗浄を容易に行うために、供給コネクタＣＳおよび排出コネクタＣＤを連通させる洗浄用キャップ５０を用意することが望ましい。図８は、洗浄用キャップ５０の一例を示す図である。洗浄用キャップ５０は、供給コネクタＣＳに液密に連通する第一筒部５２と、排出コネクタＣＤに液密に連通する第二筒部５４と、第一筒部５２および第二筒部５４を連通する連通部５６と、を有している。この洗浄用キャップ５０を、供給コネクタＣＳおよび排出コネクタＣＤに取り付けることで、供給ラインＬＳと排出ラインＬＤが、洗浄用キャップ５０を介して連通されることになる。この状態において、プライミング液の供給部１２から、プライミング液に替えて洗浄液を供給すれば、洗浄液を、供給ラインＬＳと排出ラインＬＤに連続的に流すことができ、両ラインＬＳ，ＬＤを簡易に洗浄することができる。
【００７７】
次に、他の本発明の基本的な実施形態について、図９を参照して説明する。図９は、他の本発明の基本的な実施形態（第七実施形態）の血液浄化装置１０の構成を示す図である。図９では、基本的な構成要素のみを図示しているが、実行する血液浄化法の種類に応じて、血液浄化装置１０には、適宜、別の構成要素が追加されてもよい。血液浄化装置１０で実行する血液浄化法としては、例えば、血液透析や、血液濾過、血液透析濾過、直接血液灌流、単純血漿交換等が挙げられる。また、図９に示す血液浄化装置１０に追加できる構成要素としては、例えば、透析液を供給および排出する透析液給排装置、透析液を送り出すためのポンプ、血液浄化により除去した成分を補うための補充液を供給するためのラインやポンプ等が挙げられる。
【００７８】
図９に示す血液浄化装置１０は、消耗ユニットをセットした状態で使用される。消耗ユニットは、血液浄化器１１０と、血液回路１００と、を含む。この血液浄化器１１０および血液回路１００の構成は、図１〜図７の図面を参照して説明したものと同じであるため、ここでの詳説は、省略する。また、プライミング時には、血液回路１００および血液浄化器１１０に加え、さらに、プライミング液を供給する供給部１２、および、使用後のプライミング液が排出される排出部１４も、血液浄化装置１０にセットされる。すなわち、図９に示す血液浄化装置１０では、供給部１２および排出部１４は、血液浄化装置１０の外部に設けられている。
【００７９】
供給部１２は、十分な量のプライミング液を貯留できるのであれば、特に限定されない。したがって、供給部１２としては、例えば、生理食塩液を貯留した可撓性バッグ（いわゆる生理食塩液バッグ）等を用いることができる。また、排出部１４は、十分な量のプライミング液を貯留できるのであれば、特に限定されない。したがって、排出部１４としては、可撓性バッグや、ボトル等を用いることができる。プライミング処理を行う際には、図９に示す通り、静脈側ラインＬＶは、静脈側コネクタＣＶを介して、供給部１２に接続され、動脈側ラインＬＡは、動脈側コネクタＣＡを介して、排出部１４に接続される。
【００８０】
血液浄化装置１０は、血液を送り出すための血液ポンプＰＢを備えている。血液ポンプＰＢは、図９に示すように、動脈側ラインＬＡの途中に設けられている。この血液ポンプＰＢが正駆動することで、血液が、下流側（血液浄化器１１０側）に送られる。また、後に詳説するように、血液ポンプＰＢは、プライミング処理時には、逆駆動して、プライミング液を流す役割も果たす。血液ポンプＰＢの構成は、特に限定されないが、本実施形態において、血液ポンプＰＢは、しごき型のチューブポンプである。血液ポンプＰＢは、可撓性チューブからなる動脈側ラインＬＡをしごくことで、血液やプライミング液等を送り出す。
【００８１】
また、血液浄化装置１０は、少なくとも血液ポンプＰＢの駆動を制御する制御部１６を有している。制御部１６は、作業者からの指示に応じて、各種電子機器の駆動を制御する。制御部１６は、例えば、各種演算を行うＣＰＵと、各種情報を記憶するメモリと、を備えている。また、制御部１６は、単一の装置でもよいし、互いに通信可能な複数の装置で構成されてもよい。血液浄化装置１０は、さらに、作業者からの指示を受け付けるキーボード等の入力デバイスと、作業者に各種情報を出力するためのディスプレイやスピーカー等の出力デバイスと、を備えている。入力デバイスおよび出力デバイスは、バス等を介して制御部１６に接続されている。制御部１６は、入力デバイスを介して入力された各種指示に応じて、各種処理を実行し、必要に応じて、表示デバイスを介して、作業者に各種情報を提供する。
【００８２】
この制御部１６は、制御部１６は、作業者からの指示に応じて血液ポンプＰＢ等の駆動を制御し、血液浄化法を実行させる。また、制御部１６は、血液浄化の実行に先だって、血液浄化器１１０および血液回路１００の内部を液体で満たす第一プライミング処理も行う。
【００８３】
次に、こうした血液浄化装置１０における、プライミング処理の流れについて説明する。プライミング処理を実行する際、作業者は、図９に示すように、静脈側コネクタＣＶを介して静脈側ラインＬＶを供給部１２に、動脈側コネクタＣＡを介して動脈側ラインＬＡを排出部１４に、それぞれ接続する。なお、こうした接続の実行をユーザに促すために、制御部１６は、静脈側コネクタＣＶおよび動脈側コネクタＣＡの接続先を示す情報をディスプレイに表示してもよい。こうした接続先の情報の表示は、例えば、ユーザからプライミングの指示を受けたタイミングで行ってもよい。また、血液回路１００および血液浄化器１１０を交換した際には、プライミング処理が必要になるため、制御部１６は、血液回路１００および血液浄化器１１０を交換の有無を監視しておき、血液回路１００および血液浄化器１１０の交換が検知された場合には、接続先を示す情報をディスプレイ等に表示してもよい。いずれにしても、作業者により、各コネクタが適切に接続された状態で、制御部１６は、プライミング実行の指示を作業者から受けつけると、血液ポンプＰＢを逆駆動させて、血液回路１００および血液浄化器１１０をプライミングする第一プライミング処理を実行する。血液ポンプＰＢが逆駆動することで、供給部１２から供給されるプライミング液は、供給部１２、静脈側ラインＬＶ、血液浄化器１１０、動脈側ラインＬＡ、排出部１４の順に流れていく。なお、図９の太線矢印は、プライミング処理におけるプライミング液の流れを示している。
【００８４】
以上の説明から明らかな通り、図９に示す血液浄化装置１０でも、図１〜図７に示した血液浄化装置と同様に、プライミング液が、血液浄化器１１０に内蔵された浄化部材の外側から内側に向かって流れる「逆濾過」が生じない。その結果、血液浄化器１１０等の内部に空気が滞留するエアロックを効果的に防止できる。
【００８５】
また、図９に示す血液浄化装置１０でも、血液回路１００側に、プライミング処理専用で治療に不要な分岐ラインやコネクタを設ける必要がない。これにより、作業者の作業負担を軽減できる。
【００８６】
なお、図９では、供給部１２と排出部１４とを別体としているが、供給部１２と排出部１４は、同一部材でもよい。すなわち、図１０に示す通り、供給部１２として機能するとともに排出部１４としても機能するプライミング液容器３０を用意してもよい。この場合、プライミング処理を行う際、作業者は、静脈側ラインＬＶおよび動脈側ラインＬＡの双方を、プライミング液容器３０に接続する。かかる構成とすることで、プライミング液を貯留する容器の数を低減でき、より簡易にプライミング処理を実行できる。
【００８７】
次に、より具体的な実施形態について図１１〜図１４を参照して説明していく。図１１は、第八実施形態の血液浄化装置１０の構成を示す図である。この血液浄化装置１０は、血液透析を実行する際に、特に適した構成を有している。この場合、血液浄化器１１０としては、その内部に中空糸膜が設けられたダイアライザ１１０ａが用いられる。ダイアライザ１１０ａの軸方向両端には、血液入口１１２および血液出口１１４が設けられている。また、ダイアライザ１１０ａの周面には、透析液が供給される導入口１１８と、透析液が排出される導出口１１９と、が設けられている。
【００８８】
血液浄化装置１０は、制御部（図示せず）と、血液ポンプＰＢとに加え、さらに、導入ラインＬＩと、導出ラインＬＯと、導入ポンプＰＩと、導出ポンプＰＯと、透析液タンク３２と、透析液再生カラム３４とを備えている。導入ラインＬＩは、透析液タンク３２と導入口１１８とを接続するラインである。この導入ラインＬＩの途中には、導入ポンプＰＩが設けられている。導入ポンプＰＩの正駆動の方向は、透析液タンク内の透析液を、ダイアライザ１１０ａに送り出す方向である。導出ラインＬＯは、導出口１１９と透析液タンク３２とを接続するラインである。この導出ラインＬＯの途中には、導出ポンプＰＯが設けられている。導出ポンプＰＯの正駆動の方向は、透析液を、ダイアライザ１１０ａから透析液タンク３２に送り出す方向である。導入ポンプＰＩおよび導出ポンプＰＯは、それぞれ透析液を送り出せるのであれば、その構成は、限定されない。したがって、導入ポンプＰＩおよび導出ポンプＰＯは、互いに独立して駆動できるポンプ、例えば、チューブポンプ等でもよいし、互いに連動して駆動する複式ポンプでもよい。
【００８９】
導出ポンプＰＯと透析液タンク３２との間には、透析液再生カラム３４が設けられている。透析液再生カラム３４は、治療に使用した後の透析液（排液）から不要物を除去し、透析液として再使用可能な状態にする。透析液再生カラム３４により再生された透析液は、透析液タンク３２に送られる。なお、必要に応じて、透析液再生カラム３４の下流側に、再生後の透析液に、不足している成分を補給する補給ライン３６を接続してもよい。
【００９０】
透析液タンク３２は、透析液を一時的に貯留するタンクである。また、透析液タンク３２は、プライミング処理の際、使用済みのプライミング液が排出される第二排出部としても機能する。
【００９１】
以上の構成の血液浄化装置１０において、ダイアライザ１１０ａおよび血液回路１００をプライミングする際の流れについて説明する。本実施形態において、プライミングを実行する際には、予め、図１１に示すように、静脈側ラインＬＶを供給部１２に、動脈側ラインＬＡを排出部１４に、それぞれ接続しておく。制御部は、必要であれば、この接続を促すために、静脈側ラインＬＶ、動脈側ラインＬＡの接続先を示す情報をディスプレイ等に表示させる。制御部は、適切に接続された状態で、プライミング実行の指示を受けると、プライミング処理として、矢印Ａに沿った流れでプライミング液を流す第一プライミング処理と、矢印Ｂに沿った流れで透析液を流す第二プライミング処理と、を順番に実行する。
【００９２】
第一プライミング処理を実行する際には、制御部は、導入ポンプＰＩおよび導出ポンプＰＯを停止させた状態で、血液ポンプＰＢを逆駆動させる。この血液ポンプＰＢの逆駆動に伴い、供給部１２から供給された透析液が、静脈側ラインＬＶ、ダイアライザ１１０ａ、動脈側ラインＬＡ、排出部１４の順に流れていく。
【００９３】
第一プライミング処理では、プライミング液が、ダイアライザ１１０ａの軸方向に沿って流れており、透析液を逆濾過させていない。そのため、ダイアライザ１１０ａの一部分にのみ透析液が流れることを防止でき、エアロックを効果的に防止できる。
【００９４】
一定時間、第一プライミング処理を行えば、続いて、制御部は、第二プライミング処理を実行する。第二プライミング処理を実行する際には、制御部は、血液ポンプＰＢを停止させ、導出ポンプＰＯを正駆動させ、導入ポンプＰＩを逆駆動させる。導入ポンプＰＩが逆駆動し、導出ポンプＰＯが正駆動することで、供給部１２から供給された透析液が、導入ラインＬＩおよび導出ラインＬＯの双方を同じ方向に流れていき、透析液タンク３２に排出される。この第二プライミング処理を行うことにより、ダイアライザ１１０ａの筐体と中空糸膜との間隙にもプライミング液を流すことができ、ダイアライザ１１０ａ内の空気をより確実に排除できる。また、第二プライミング処理を行うことにより、導出ラインＬＯの途中に設けられた透析液再生カラム３４にもプライミング液を流すことができ、透析液再生カラム３４内の空気も排除できる。また、導出ポンプＰＯを正駆動および導入ポンプを逆駆動することで、予め、透析液タンク３２が空であっても、適切に第二プライミング処理を実行できる。
【００９５】
なお、透析液タンク３２に、予め、十分な量のプライミング液が貯留されているのであれば、第二プライミング処理の際、導入ポンプＰＩは、正駆動させてもよい。すなわち、図１２において矢印Ｂで示すように、第二プライミング処理の際、制御部は、血液ポンプＰＢを停止させ、導出ポンプＰＯを正駆動させ、導入ポンプＰＩを正駆動させてもよい。この場合、透析液タンク３２に貯留されたプライミング液は、導入ラインＬＩ、ダイアライザ１１０ａ、導出ラインＬＯを経て、透析液タンク３２に戻るように、循環する。この場合でも、血液浄化器１１０の筐体と中空糸膜との間隙にもプライミング液を流すことができ、ダイアライザ１１０ａ内の空気をより確実に排除できる。また、第二プライミング処理を行うことにより、導出ラインＬＯの途中に設けられた透析液再生カラム３４にもプライミング液を流すことができ、透析液再生カラム３４内の空気も排除できる。さらに、プライミング液を循環させることで、第二プライミング処理に必要なプライミング液量を低減できる。
【００９６】
次に、第九実施形態について説明する。図１３は、第九実施形態の血液浄化装置１０の構成を示す図である。この血液浄化装置１０は、血液透析濾過を実行する際に特に適した構成を有している。この場合、血液浄化器１１０としては、その内部に中空糸膜が設けられた血液透析濾過機（ヘモダイアフィルタ）１１０ｂが使用される。血液回路１００は、血液浄化（血液透析濾過）の過程で不足した成分を補充するための補充液ラインＬＣが設けられている。また、補充液ラインＬＣの一端には、補充液またはプライミング液が充填された液体容器２２が接続される。
【００９７】
血液浄化装置１０には、この補充液を送り出すための補充液用ポンプＰＣと、補充液ラインＬＣを開放・閉鎖するための補充液用バルブＶＣが設けられている。なお、補充液用ポンプＰＣが、停止することで補充液ラインＬＣを閉鎖するバルブとして機能するのであれば、補充液用バルブＶＣは、省略されてもよい。
【００９８】
作業者からプライミング実行の指示を受けると、制御部は、プライミング処理として、矢印Ｃに沿った流れでプライミング液を流す第三プライミング処理を最初に行い、その後、矢印Ａに沿った流れでプライミング液を流す第一プライミング処理と、矢印Ｂに沿った流れでプライミング液を流す第二プライミング処理と、を順番に実行する。
【００９９】
第三プライミング処理では、制御部は、補充液用バルブＶＣを開放するとともに、補充液用ポンプＰＣを正駆動、血液ポンプＰＢを逆駆動させる。また、このとき、液体容器２２には、プライミング液として機能する補充液または生理食塩液を充填しておく。補充液用ポンプＰＣが正駆動することで、液体容器２２に充填されたプライミング液（補充液または生理食塩液）は、補充液ラインＬＣ、静脈側ラインＬＶ、血液透析濾過器１１０ｂ、動脈側ラインＬＡ、排出部１４の順に流れる。そして、これにより、補充液ラインＬＣがプライミング液で満たされ、当該補充液ラインＬＣに残存する空気が排除される。第三プライミング処理後、制御部は、第一、第二プライミング処理を実行するために、補充用バルブＶＣを閉鎖する。その後の第一、第二プライミング処理の内容は、これまでの内容と同じであるため、説明を省略する。
【０１００】
次に、第十実施形態について説明する。図１４は、第十実施形態の血液浄化装置１０の構成を示す図である。この血液浄化装置１０は、血液濾過または血漿交換を実行する際に特に適した構成を有している。この場合、血液浄化器１１０としては、その内部に中空糸膜が設けられた血液濾過機（ヘモフィルタ）１１０ｃ、または、血漿分離器１１０ｄが使用される。血液回路１００は、血液浄化（血液濾過、血漿分離）の過程で不足した成分を補充するための補充液ラインＬＣが設けられている。また、補充液ラインＬＣの一端には、補充液またはプライミング液が充填された液体容器２２が接続される。
【０１０１】
この血液浄化装置１０は、透析液を給排は、行わず、血液濾過で排出された濾液または血漿交換で分離された血漿成分を回収し、廃棄する。したがって、血液浄化装置１０は、導入ラインＬＩおよび導入ポンプＰＩは、有さず、導出ラインＬＯおよび導出ポンプＰＯのみを有している。導出ラインＬＯの先端には、排液が排出される排液部４０が設けられている。この排液部４０は、プライミング液が排出される第二排出部として機能する。制御部は、作業者からプライミングの実行を指示されれば、第三プライミング処理（図１４における矢印Ｃ）と第一プライミング処理（図１４における矢印Ａ）と第二プライミング処理（図１４における矢印Ｂ）と、を実行する。
【０１０２】
以上の説明から明らかな通り、プライミング液を供給する供給部と静脈側ラインＬＶが接続され、かつ、使用後のプライミング液が排出される排出部と動脈側ラインＬＡが接続された状態で、プライミング実行の指示を受け付けると、血液ポンプＰＢを駆動させて、血液回路１００および血液浄化器１１０をプライミングする第一プライミング処理を実行する制御部を設ければ、血液回路１００側に、不要な分岐ラインを設けることなく、プライミング処理を適切に行うことができる。なお、図１１〜図１４では、供給部１２と排出部１４とを別容器として記載しているが、図１０に示すように一つの容器（プライミング液容器３０）を供給部および排出部として用いてもよい。
【符号の説明】
【０１０３】
１０  血液浄化装置、１２  供給部、１４  排出部、１６  制御部、２０  透析液給排装置、２２  液体容器、２４，２８  プライミング液排出部、２６  プライミング液供給部、３２  透析液タンク、３４  透析液再生カラム、３６  補給ライン、４０  排液部、１００  血液回路、１０２  エアトラップチャンバ、１１０  血液浄化器、１１０ａ  ダイアライザ、１１０ｂ  血液透析濾過器（ヘモダイアフィルタ）、１１０ｃ  血液濾過器（ヘモフィルタ）、１１０ｄ  血漿分離器、１１０ｅ  血液浄化カラム、１１２  血液入口、１１４  血液出口、１１８  導入口、１１９  導出口、１３０  穿刺針、ＣＡ  動脈側コネクタ、ＣＤ  排出コネクタ、ＣＳ  供給コネクタ、ＣＶ  静脈側コネクタ、ＬＡ  動脈側ライン、ＬＣ  補充液ライン、ＬＤ  排出ライン、ＬＩ  導入ライン、ＬＯ  導出ライン、ＬＳ  供給ライン、ＬＶ  静脈側ライン、ＰＢ  血液ポンプ、ＰＣ  補充液用ポンプ、ＰＩ  導入ポンプ、ＰＯ  導出ポンプ、ＶＣ  補充液用バルブ、ＶＩ  導入バルブ、ＶＳ  供給バルブ。
【図１】
2018030353.tif 000003
【図２】
2018030353.tif 000004
【図３】
2018030353.tif 000005
【図４】
2018030353.tif 000006
【図５】
2018030353.tif 000007
【図６】
2018030353.tif 000008
【図７】
2018030353.tif 000009
【図８】
2018030353.tif 000010
【図９】
2018030353.tif 000011
【図１０】
2018030353.tif 000012
【図１１】
2018030353.tif 000013
【図１２】
2018030353.tif 000014
【図１３】
2018030353.tif 000015
【図１４】
2018030353.tif 000016
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
動脈側ラインおよび静脈側ラインを含む血液回路と、両端に前記動脈側ラインおよび静脈側ラインが接続される血液浄化器と、を取り付けて使用される血液浄化装置であって、
プライミング液を供給する供給部に接続され、前記静脈側ラインの先端に接続可能な供給ラインと、
使用後のプライミング液を排出する排出部に接続され、前記動脈側ラインの先端に接続可能な排出ラインと、
前記動脈側ラインの途中に設けられた血液ポンプと、
を備え、
前記供給ラインと前記静脈側ラインが接続され、かつ、前記排出ラインと前記動脈側ラインが接続された状態で、前記血液ポンプを駆動させることで、前記血液回路および血液浄化器をプライミングし、
前記排出ラインは、前記排出部と前記血液浄化器とを接続する導出ラインの途中に合流するラインである、
ことを特徴とする血液浄化装置。
【請求項２】
請求項１に記載の血液浄化装置であって、
前記血液回路および血液浄化器をプライミングするとき、前記血液ポンプは、血液浄化法の実行時と逆方向に液体を送り出すように逆駆動される、ことを特徴とする血液浄化装置。
【請求項３】
請求項１または２に記載の血液浄化装置であって、
前記血液浄化器は、ダイアライザであり、
前記排出部は、前記ダイアライザから透析液を排出する透析液排出装置である、
ことを特徴とする血液浄化装置。
【請求項４】
請求項１から３のいずれか１項に記載の血液浄化装置であって、
前記供給ラインは、前記排出部と前記血液浄化器とを接続する導入ラインの途中で分岐したラインである、
ことを特徴とする血液浄化装置。
【請求項５】
請求項４に記載の血液浄化装置であって、
前記血液浄化器は、ダイアライザであり、
前記供給部は、前記ダイアライザに透析液を供給する透析液供給装置である、
ことを特徴とする血液浄化装置。
【請求項６】
請求項３を引用する請求項５であって、さらに、
前記導入ラインの途中に設けられ、前記透析液供給装置から供給された液体を前記ダイアライザに送る導入ポンプと、
前記導出ラインの途中に設けられ、前記ダイアライザから排出された液体を前記透析液排出装置に送る導出ポンプと、
前記透析液供給装置から供給された前記液体の供給先を、前記供給ラインまたは前記ダイアライザに切り替える切り替え機構と、
を備え、
前記プライミングにおいて、前記液体の供給先を前記供給ラインに切り替えた状態で、前記血液ポンプを駆動する第一プライミング処理と、前記液体の供給先を前記血液浄化器に切り替えた状態で、前記導入ポンプおよび前記導出ポンプを駆動する第二プライミング処理と、を実行する、ことを特徴とする血液浄化装置。
【請求項７】
請求項６に記載の血液浄化装置であって、
前記第二プライミング処理において、前記導入ポンプおよび前記導出ポンプは、血液浄化法の実行時と同じ方向に液体を送り出すように正駆動される、ことを特徴とする血液浄化装置。
【請求項８】
請求項３から７のいずれか１項に記載の血液浄化装置であって、
前記プライミング液が、透析液である、ことを特徴とする血液浄化装置。
【請求項９】
請求項１に記載の血液浄化装置であって、
前記供給部は、前記プライミング液が充填されたプライミング液容器または前記血液浄化装置の外部に設けられたプライミング液の供給源に接続されたラインである、ことを特徴とする血液浄化装置。
【請求項１０】
請求項１または９に記載の血液浄化装置であって、
前記排出部は、使用済みのプライミング液が充填される排液容器または前記血液浄化装置の外部に設けられたプライミング液の廃棄部に接続されたラインである、ことを特徴とする血液浄化装置。
【請求項１１】
請求項１から１０のいずれか１項に記載の血液浄化装置であって、
前記血液回路は、さらに、前記静脈側ラインおよび前記動脈側ラインの少なくとも一方のライン途中に接続され、補充する液体を前記少なくとも一方のラインに導く補充液ラインを含み、
前記血液浄化装置は、さらに、前記少なくとも一方のラインの途中に設けられ、前記補充する液体を前記少なくとも一方のラインに送る補充液用ポンプを備え、
前記補充液用ポンプを駆動させることで、前記補充液ラインをプライミングする、
ことを特徴とする血液浄化装置。
【請求項１２】
動脈側ラインおよび静脈側ラインを含む血液回路と、両端に前記動脈側ラインおよび静脈側ラインが接続される血液浄化器と、から空気を排出するプライミング方法であって、
プライミング液を供給する供給部に接続されるとともに前記静脈側ラインの先端に接続可能な供給ラインを、前記静脈側ラインに接続するステップと、
使用後のプライミング液を排出する排出部に接続されるとともに前記動脈側ラインの先端に接続可能な排出ラインを、前記動脈側ラインに接続するステップと、
前記動脈側ラインの途中に設けられた血液ポンプを駆動させて、前記血液回路および血液浄化器にプライミング液を流すステップと、
を備え、
前記排出ラインは、前記排出部と前記血液浄化器とを接続する導出ラインの途中に合流するラインである、
ことを特徴とするプライミング方法。
【請求項１３】
動脈側ラインおよび静脈側ラインを含む血液回路と、両端に前記動脈側ラインおよび静脈側ラインが接続される血液浄化器と、を取り付けて使用される血液浄化装置であって、
前記動脈側ラインの途中に設けられた血液ポンプと、
少なくとも前記血液ポンプの駆動を制御する制御部と、
第二排出部と、
前記第二排出部と前記血液浄化器とを接続する導入ラインと、
前記第二排出部と前記血液浄化器とを接続する導出ラインと、
前記導入ラインの途中に設けられた導入ポンプと、
前記導出ラインの途中に設けられた導出ポンプと、
を備え、
前記制御部は、プライミング液を供給する供給部と前記静脈側ラインが接続され、かつ、使用後のプライミング液が排出される排出部と前記動脈側ラインが接続された状態で、プライミング実行の指示を受け付けると、前記血液ポンプを駆動させて、前記血液回路および血液浄化器をプライミングする第一プライミング処理と、
前記第一プライミング処理の後、前記導入ポンプおよび前記導出ポンプを駆動して、前記導入ラインおよび前記導出ラインにプライミング液を流す第二プライミング処理と、
を実行する、
ことを特徴とする血液浄化装置。
【請求項１４】
請求項１３に記載の血液浄化装置であって、
前記制御部は、前記第一プライミング処理において、前記血液ポンプを、血液浄化法の実行時と逆方向に液体を送り出すように逆駆動させる、ことを特徴とする血液浄化装置。
【請求項１５】
請求項１３に記載の血液浄化装置であって、
前記制御部は、前記第二プライミング処理において、前記導入ポンプおよび前記導出ポンプを血液浄化法の実行時と同じ方向に液体を送り出すように正駆動させる、ことを特徴とする血液浄化装置。
【請求項１６】
請求項１３に記載の血液浄化装置であって、
前記制御部は、前記第二プライミング処理において、前記導出ポンプを血液浄化法の実行時と同じ方向に液体を送り出すように正駆動させ、前記導入ポンプを血液浄化法の実行時と逆方向に液体を送り出すように逆駆動させる、
ことを特徴とする血液浄化装置。
【請求項１７】
請求項１３から１６のいずれか１項に記載の血液浄化装置であって、
前記第二排出部は、透析液を貯留する透析液タンクである、ことを特徴とする血液浄化装置。
【請求項１８】
請求項１７に記載の血液浄化装置であって、さらに、
前記導出ライン上かつ前記導出ポンプと前記透析液タンクとの間に設けられた透析液再生カラムを備える、
ことを特徴とする血液浄化装置。
【国際調査報告】
2018030353.tif 000017
2018030353.tif 000018